(57)【特許請求の範囲】
【請求項１】
一般式（ＩＩ)の負の誘電異方性化合物を少なくとも２種含むことを特徴とする液晶組成物。
【化１】
0004945836.tif 000012
（式中、Ｒ１及びＹ１は各独立して炭素数１〜１６のアルキル基、アルキルオキシ基、アルキルオキシアルキル基、炭素数２〜１６のアルケニル基、炭素原子数３〜１６のアルケニルオキシ基、水素原子、ハロゲン原子、シアノ基、イソシアノ基又は式（ＩＩ−ａ)
【化２】
0004945836.tif 000013
(式中、Ｒ２は水素原子、ハロゲン原子、炭素数１〜１５のアルキル基又は炭素数２〜１５のアルケニル基を表し、Ｑは水素原子又はハロゲン原子を表し、ｎは０〜１０の整数を示し、−（ＣＨ２）ｎ−中のメチレン基は酸素原子同士が結合しないことを条件に酸素原子に置換されていてもよい。)を表し、
前記のアルキル基中のメチレン基は酸素原子、硫黄原子、チッソ原子、−Ｃ≡Ｃ−で置換されていても良く、又これらのアルキル基中の１個以上の水素原子はフッ素原子、塩素原子で置換されていても良く、
Ｚ１、Ｚ２、及びＺ３は各独立して、単結合、−(ＣＨ２)２−、−ＣＨ＝ＣＨ−、−Ｃ≡Ｃ−、−ＣＯＯ−、−ＯＣＯ−、−ＣＨ２Ｏ−、−ＯＣＨ２−、−(ＣＨ２)４−、−(ＣＨ２)３Ｏ−、−Ｏ(ＣＨ２)３−、−ＣＨ＝ＣＨＣＨ２ＣＨ２−、−ＣＨ２ＣＨ＝ＣＨＣＨ２−、−ＣＨ２ＣＨ２ＣＨ＝ＣＨ−、−ＣＨ＝ＣＨＣＨ＝ＣＨ−、−ＣＦ２Ｏ−、−ＯＣＦ２−、−ＣＨ＝ＣＨＣＨ２Ｏ−、−ＯＣＨ２ＣＨ＝ＣＨ−、−ＣＦ＝ＣＦ−、−ＣＨ２ＣＦ２−、−ＣＦ２ＣＨ２−、−(ＣＦ２)２−、−(ＣＦ２)４−、−(ＣＨ２)２ＣＯＯ−、−ＯＣＯ(ＣＨ２) ２−、−ＣＨ＝ＣＨＣＯＯ−、−ＯＣＯＣＨ＝ＣＨ−、−ＣＨ＝ＣＨＣ≡Ｃ−、又は−Ｃ≡ＣＣＨ＝ＣＨ−を表し、
Ｚ４は単結合を表し、
環Ａ１、環Ａ２、及び環Ａ３は各々独立してトランス−１，４−シクロヘキシレン基、１，４−シクロヘキセニレン基、トランス−１，４−シラシクロヘキシレン基、１，４−フェニレン基、２，３−ジフルオロ−１，４−フェニレン基、２−フルオロ−１，４−フェニレン基、３−フルオロ−１，４−フェニレン基、ビシクロ［１．１．１]ペンタン−１，３−ジイル、テトラヒドロピラン−２，５−ジイル、ピリミジン−２，５−ジイル基、ピリジン−２，５−ジイル基、１，３−ジオキサン−２，５−ジイル基、１，３−ジチアン−２，５−ジイル基、テトラヒドロチオピラン−２，５−ジイル基、ナフタレン−２，６−ジイル基、１，２，３，４−テトラヒドロナフタレン−２，６−ジイル基、デカヒドロナフタレン−２，６−ジイル基で表される環であり、
環Ａ４は一般式 （Ｉ−１）、（Ｉ−２）、（Ｉ−３） 、（Ｉ−１’)
【化３】
0004945836.tif 000014
の何れかで表される環であり
(式中、Ｘ１からＸ６は各独立して水素原子またはハロゲン原子を表すが、Ｘ１からＸ３の少なくとも1つ、Ｘ４、Ｘ５の少なくとも1つ、及びＸ６は水素原子ではない。)、
このうち、誘電異方性化合物の少なくとも１種は環Ａ４が、一般式 （Ｉ−１）又は（Ｉ−１’) で表される環であり、
誘電異方性化合物の少なくとも１種は環Ａ４が、一般式（Ｉ−２）又は（Ｉ−３）で表される環であり、
ｒ１、ｒ２、ｒ３は各独立して、０又は１を表し、ｒ４は１を表すが、ｒ１＋ｒ２＋ｒ３＋ｒ４≧２である。)
【請求項２】
誘電率異方性Δεが-1より小さいことを特徴とする、負の誘電率異方性を有する請求項１記載の液晶組成物。
【請求項３】
追加の第二成分として、一般式（ＩＩＩ)、（ＩＶ)
【化４】
0004945836.tif 000015
(式中、Ｒ３、Ｒ４、Ｒ５はそれぞれ独立的にフッ素置換されていても良い炭素原子数１〜１６のアルキル基またはアルコキシル基、炭素原子数２〜１６のアルケニル基、炭素原子数３〜１６のアルケニルオキシ基、または炭素原子数１〜１０のアルコキシル基で置換された炭素原子数１〜１２のアルキル基を表し、環Ｂ、環Ｃ、環Ｄ、環Ｅ及び環Ｆはそれぞれ独立的にフッ素原子により置換されていてもよい１，４−フェニレン基、２−メチル−１，４−フェニレン基、３−メチル−１，４−フェニレン基、ナフタレン−２，６−ジイル基、フェナントレン−２，７−ジイル基、フルオレン−２，７−ジイル基、トランス−１，４−シクロヘキシレン基、１，２，３，４−テトラヒドロナフタレン−２，６−ジイル基、デカヒドロナフタレン−２，６−ジイル基、トランス−１，３−ジオキサン−２，５−ジイル基、ピリジン−２，５−ジイル基、ピリミジン−２，５−ジイル基、ピラジン−２，５−ジイル基またはピリダジン−２，５−ジイル基を表し、ｌ、ｍはそれぞれ独立的に０、１もしくは２を表し、Ｚ５、Ｚ６、Ｚ７、Ｚ８はそれぞれ独立的に単結合、−ＣＨ＝ＣＨ−、−ＣＯＯ−、−ＯＣＯ−、−ＣＨ２ＣＨ２−、−(ＣＨ２)４−、−ＯＣＨ２−、−ＣＨ２Ｏ−または−Ｃ≡Ｃ−を表し、Ｘ８はシアノ基、フッ素原子、塩素原子、トリフルオロメトキシ基、トリフルオロメチル基、ジフルオロメトキシ基、水素原子、３，３，３−トリフルオロエトキシ基、Ｒ'または−ＯＲ'を表し、Ｒ'は炭素原子数１〜12の直鎖状アルキル基または、２〜１２の直鎖状アルケニル基を表し、Ｘ７、Ｘ９は水素原子、フッ素原子または塩素原子を表す。)から選ばれる化合物を１種もしくは２種以上を含有することを特徴とする請求項１又は２記載の液晶組成物。
【請求項４】
一般式（ＩＩＩ)の化合物として、環Ｂ、環Ｃおよび環Ｄの内少なくとも一つの環が、２-フルオロ−１，４−フェニレン基、３−フルオロ−１，４−フェニレン基又は２，３−ジフルオロ−１，４−フェニレン基である化合物を１種もしくは２種以上含有することを特徴とする請求項３記載の液晶組成物。
【請求項５】
ネマチック相上限温度が６５℃以上であり、ネマチック下限温度が−２０℃以下であり、屈折率の異方性(Δｎ)が０．０５〜０．２４の範囲であることを特徴とする請求項１から４の何れか１項に記載の液晶組成物。
【請求項６】
誘電率異方性Δεが−１．５より小さい事を特徴とする請求項１〜５の何れか１項に記載の液晶組成物。
【請求項７】
請求項１から６の何れか１項に記載の液晶組成物を用いた液晶表示素子。
【請求項８】
請求項１から６の何れか１項に記載の液晶組成物を用いたＩＰＳモード又はＶＡモードの液晶表示素子。
【発明の詳細な説明】
【０００１】
【産業上の利用分野】
本発明は液晶表示素子に最適な諸物性を有する液晶組成物及びこれを用いた液晶表示素子に関する。
【０００２】
【従来の技術】
TN型液晶表示素子やSTN型液晶表示素子では、電圧印加により基板に平行且つ捻れた配向した液晶分子が、垂直に立ち上がることにより捻りが解消されることにより光の明暗をコントロールし表示を行っている。このように液晶分子が初期の捻れ状態から立ち上がった状態では、観察者の見る角度により捻れ状態が異なるためコントラスト低下及び色の反転が起こり、実効的な視野角が狭いという問題があった。広い視野角を得る方法として、IPS(インプレーン・スイッチング)方式や、VA方式、ECB方式が提案されている。このような方式には従来使用されている比誘電率Δεが正の材料とは異なり、Δεが負の材料が使用される。表示特性改善のためには、液晶材料としてΔεが負で大きいことが要求されている。しかし、Δεを負で大きくするために液晶分子のラテラル方向に強い極性をもつ置換基をつけると、粘性が増大し、ネマチック上限温度が低下することが多かった。つまり熱・光に対して化学的に安定であり、幅広い液晶温度範囲を有し、絶対値の大きな負のΔεを有する低粘性の液晶組成物は今までに提供されていなかった。
【０００３】
【発明が解決しようとする課題】
本発明の課題は、上述の不都合を有さないか、又は少ししか有さないと同時に、非常に高い抵抗値、並びに電圧保持率を有する液晶組成物及びその組成物を使用した液晶表示素子を提供することにある。
【０００４】
【課題を解決するための手段】
本発明は、上記課題を解決するために、一般式（Ｉ−１）又は（Ｉ−１’) の構造を分子内に持つ化合物、及び、一般式（Ｉ−２）又は（Ｉ−３）の構造を分子内に持つ化合物を含む組成物、また追加の成分として一般式（ＩＩＩ)、（ＩＶ)の化合物を含有する液晶組成物は、絶対値の大きい負の誘電異方性を有し、適切な屈折率異方性、比較的低い粘性、高い相溶性、化学的・物理的安定性に優れた液晶組成物が得られること、及び該組成物を用いた優れた液晶表示素子が得られることを見いだし、本発明に至った。
【０００５】
【発明の実施の形態】
第1の発明は、分子内に一般式(I-1)から(I-3)の構造の少なくとも1つをもつ化合物を少なくとも1種含むことを特徴とする液晶組成物に関する。
【化６】
0004945836.tif 000002
(式中、X1からX6は各独立して水素原子、ハロゲン原子、シアノ基、イソシアノ基を表すが、X1からX3の少なくとも１つ、X4、X5の少なくとも一つ、及びX6は水素原子ではない。)
【０００６】
ここで、一般式(I-1)、(I-2)、(I-3)の構造をもつ負の誘電率異方性化合物から選ばれる化合物を1種もしくは2種以上を含有するが、2種又は3種を含有することが好ましく、特に(I-1)を2種以上含有すること、(I-1)を2種以上、(I-2)を1種以上含有することが好ましい。その含有率は低電圧駆動又は高いネマチック上限温度が要求される場合には5〜90質量%が好ましく、駆動電圧、応答速度の好ましいバランスを撮るためには10〜50質量%が更に好ましく、高速応答を望む場合には10〜30質量%が好ましく、一般式(I-1)、(I-2)、(I-3)の構造としては、下記の構造が好ましい。
【化７】
0004945836.tif 000003
【０００７】
第2の発明は、誘電率異方性Δεが-1より小さいことを特徴とする、負の誘電率異方性を有する発明1の液晶組成物に関する。
ここで、Δεは-1.5より小さいことが好ましく、-2より小さいことが更に好ましい。
【０００８】
第3の発明は、一般式(II)の化合物を少なくとも1種含むことを特徴とする発明1又は2の液晶組成物に関する。
【化８】
0004945836.tif 000004
（式中、R1及びY1は各独立して炭素数1〜16のアルキル基、アルキルオキシ基、アルキルオキシアルキル基、炭素数2〜16のアルケニル基、炭素原子数3〜16のアルケニルオキシ基、水素原子、ハロゲン原子、シアノ基、イソシアノ基又は式(II-a)
【化９】
0004945836.tif 000005
(式中、R2は水素原子、ハロゲン原子、炭素数1〜15のアルキル基又は炭素数2〜15のアルケニル基を表し、Qは水素原子又はハロゲン原子を表し、nは0〜10の整数を示し、-(CH2)n-中のメチレン基は酸素原子同士が結合しないことを条件に酸素原子に置換されていてもよい。)を表し、前記のアルキル基中のメチレン基は酸素原子、硫黄原子、チッソ原子、-C≡C-で置換されていても良く、又これらのアルキル基中の1個以上の水素原子はフッ素原子、塩素原子で置換されていても良く、Z1、Z2、Z3及びZ4は各独立して、単結合、-(CH2)2-、-CH=CH-、-C≡C-、-COO-、-OCO-、-CH2O-、-OCH2-、-(CH2)4-、-(CH2)3O-、-O(CH2)3-、-CH=CHCH2CH2-、-CH2CH=CHCH2-、-CH2CH2CH=CH-、-CH=CHCH=CH-、-CF2O-、-OCF2-、-CH=CHCH2O-、-OCH2CH=CH-、-CF=CF-、-CH2CF2-、-CF2CH2-、-(CF2)2-、-(CF2)4-、-(CH2)2COO-、-OCO(CH2)2-、-CH=CHCOO-、-OCOCH=CH-、-CH=CHC≡C-、又は-C≡CCH=CH-を表し、環A1、環A2、環A3及び環A4は各々独立してトランス-1,4-シクロヘキシレン基、1,4-シクロヘキセニレン基、トランス-1,4-シラシクロヘキシレン基、1,4-フェニレン基、2,3-ジフルオロ-1,4-フェニレン基、2-フルオロ-1,4-フェニレン基、3-フルオロ-1,4-フェニレン基、ビシクロ[1.1.1]ペンタン-1,3-ジイル、テトラヒドロピラン-2,5-ジイル、ピリミジン-2,5-ジイル基、ピリジン-2,5-ジイル基、1,3-ジオキサン-2,5-ジイル基、1,3-ジチアン-2,5-ジイル基、テトラヒドロチオピラン-2,5-ジイル基、ナフタレン-2,6-ジイル基、1,2,3,4-テトラヒドロナフタレン-2,6-ジイル基、デカヒドロナフタレン-2,6-ジイル基又は一般式(I-1)、(I-2)、(I-3)
【化１０】
0004945836.tif 000006
で表される環であるが、環A1、環A2、環A3及び環A4のうち少なくとも1つは一般式(I-1)、(I-2)、(I-3)の何れかで表される環であり、r1、r2、r3、r4は各独立して、0又は1を表すがr1+r2+r3+r4≧2である。)
【０００９】
R1は、炭素数1〜16のアルキル基、アルキルオキシ基、アルキルオキシアルキル基、炭素数2〜16のアルケニル基、炭素原子数3〜16のアルケニルオキシ基、式(II-1)が好ましく、炭素数1〜16のアルキル基、アルキルオキシ基が特に好ましく、Y1は炭素数1〜16のアルキル基、アルキルオキシ基、アルキルオキシアルキル基、炭素数2〜16のアルケニル基、炭素原子数3〜16のアルケニルオキシ基、ハロゲン原子、シアノ基、イソシアノ基が好ましく、アルケニル基は、以下式(a)〜(e)の構造が好ましく、
【化１１】
0004945836.tif 000007
(構造式は右端で環に連結しているものとする。)その中でも(b)、(c)、(d)が特に好ましい。R2は水素原子、ハロゲン原子、炭素数1〜15のアルキル基が好ましく、特にハロゲン原子(特にFが)好ましい。Qはハロゲン原子(特にFが)が好ましく、nは0又は2が好ましい。Z1、Z2、Z3及びZ4は、単結合、-(CH2)2-、-CH=CH-、-C≡C-、-COO-が好ましく、特に単結合、-(CH2)2-が好ましい。
【００１０】
環A1、環A2、環A3及び環A4は一般式(I-1)、(I-2)、(I-3)以外の構造としては、トランス-1,4-シクロヘキシレン基、1,4-フェニレン基、2,3-ジフルオロ-1,4-フェニレン基、2-フルオロ-1,4-フェニレン基、3-フルオロ-1,4-フェニレン基、ナフタレン-2,6-ジイル基、1,2,3,4-テトラヒドロナフタレン-2,6-ジイル基、デカヒドロナフタレン-2,6-ジイル基が好ましいが、特に2,3-ジフルオロ-1,4-フェニレン基、2-フルオロ-1,4-フェニレン基、3-フルオロ-1,4-フェニレン基が少なくとも1つ含まれることが好ましい。(I-1)、(I-2)、(I-3)としては、(I-1a〜g)、(I-2a〜c)、(I-3a)が好ましい。r1、r2、r3、r4は、r1+r2+r3+r4=2又は3が好ましい。一般式(II)の化合物は、1種又は2種以上を含有するが、2種又は3種を含有することが好ましく、その含有率は5〜90質量%が好ましく、10〜50質量%が更に好ましく、10〜30質量%が特に好ましい。
【００１１】
第4の発明は、追加の第二成分として、一般式(III)、(IV)
【化１２】
0004945836.tif 000008
(式中、R3、R4、R5はそれぞれ独立的にフッ素置換されていても良い炭素原子数1〜16のアルキル基またはアルコキシル基、炭素原子数2〜16のアルケニル基、炭素原子数3〜16のアルケニルオキシ基、または炭素原子数1〜10のアルコキシル基で置換された炭素原子数1〜12のアルキル基を表し、環B、環C、環D、環E及び環Fはそれぞれ独立的にフッ素原子により置換されていてもよい1,4-フェニレン基、2-メチル-1,4-フェニレン基、3-メチル-1,4-フェニレン基、ナフタレン-2,6-ジイル基、フェナントレン-2,7-ジイル基、フルオレン-2,7-ジイル基、トランス-1,4-シクロヘキシレン基、1,2,3,4-テトラヒドロナフタレン-2,6-ジイル基、デカヒドロナフタレン-2,6-ジイル基、トランス-1,3-ジオキサン-2,5-ジイル基、ピリジン-2,5-ジイル基、ピリミジン-2,5-ジイル基、ピラジン-2,5-ジイル基またはピリダジン-2,5-ジイル基を表し、l、mはそれぞれ独立的に0、1もしくは2を表し、Z5、Z6、Z7、Z8はそれぞれ独立的に単結合、-CH=CH-、-COO-、-OCO-、-CH2CH2-、-(CH2)4-、-OCH2-、-CH2O-または-C≡C-を表し、X8はシアノ基、フッ素原子、塩素原子、トリフルオロメトキシ基、トリフルオロメチル基、ジフルオロメトキシ基、水素原子、3,3,3-トリフルオロエトキシ基、R'または-OR'を表し、R'は炭素原子数1〜12の直鎖状アルキル基または、2〜12の直鎖状アルケニル基を表し、X7、X9は水素原子、フッ素原子または塩素原子を表す。)から選ばれる化合物を1種もしくは2種以上を含有することを特徴とする発明1、2又は3の液晶組成物に関する。
【００１２】
追加の第二成分として一般式(III)、(IV)から選ばれる化合物を1種もしくは2種以上を含有するが、3種以上が好ましく、3種〜20種がさらに好ましく、5種〜15種が特に好ましく、その中に一般式(III)の化合物を少なくとも2種以上含むことがより好ましい。その含有量は、5〜95質量%が好ましいが、15〜85質量%が好ましく、25〜85質量%が特に好ましい。R3、R4、R5は、炭素原子数1〜16のアルキル基、炭素原子数2〜16のアルケニル基が好ましく、炭素原子数1〜8のアルキル基、炭素原子数2〜8のアルケニル基がより好ましく、1〜5のアルキル基もしくはアルケニル基として式(a)〜(e)が特に好ましい。環B、環C、環D、環E及び環Fはそれぞれ独立的にフッ素原子により置換されていてもよい1,4-フェニレン基、ナフタレン-2,6-ジイル基、フェナントレン-2,7-ジイル基、フルオレン-2,7-ジイル基、トランス-1,4-シクロヘキシレン基、1,2,3,4-テトラヒドロナフタレン-2,6-ジイル基、デカヒドロナフタレン-2,6-ジイル基が好ましく、2,3-ジフルオロ-1,4-フェニレン基、2-フルオロ-1,4-フェニレン基、3-フルオロ-1,4-フェニレン基が特に好ましい。l、mはそれぞれ独立的に0、1もしくは2を表すが、0もしくは1が好ましい。Z5、Z6、Z7、Z8は、単結合、-CH2CH2-もしくは-C≡C-が好ましく、単結合がより好ましい。X8はシアノ基、フッ素原子、塩素原子、トリフルオロメトキシ基、トリフルオロメチル基、ジフルオロメトキシ基、水素原子、3,3,3-トリフルオロエトキシ基、R'または-OR'を表し、R'は炭素原子数1〜12の直鎖状アルキル基または、2〜12の直鎖状アルケニル基を表すが、シアノ基、フッ素原子、トリフルオロメトキシ基、ジフルオロメトキシ基が好ましく、フッ素原子、トリフルオロメトキシ基、ジフルオロメトキシ基がより好ましく、フッ素原子が特に好ましい。X7、X9は水素原子、フッ素原子が好ましく、フッ素原子が特に好ましい。
【００１３】
発明5は、一般式(III)の化合物として、環B、環Cおよび環Dの内の少なくとも一つの環が、2-フルオロ-1,4-フェニレン基、3-フルオロ-1,4-フェニレン基又は2,3-ジフルオロ-1,4-フェニレン基である化合物を1種もしくは2種以上含有することを特徴とする発明1、2、3又は4記載の液晶組成物に関する。
環B、環Cおよび環Dの内の少なくとも一つの環が2,3-ジフルオロ-1,4-フェニレン基であることが特に好ましい。
発明6は、一般式(I-1)、(I-2)、(I-3)の構造をの化合物を少なくとも2種以上含む事を特徴とする発明1から5の何れか1つに記載の液晶組成物に関する。
【００１４】
発明7は、ネマチック相上限温度が65℃以上であり、ネマチック下限温度が-20℃以下であり、屈折率の異方性(Δn)が0.05〜0.24の範囲であることを特徴とする発明1から6の何れかの発明の液晶組成物に関する。
ネマチック相上限温度は75℃以上であることが好ましく、85℃以上であることが更に好ましい。Δnは0.05〜0.2であることが好ましく、0.06〜0.15であることが更に好ましい。
【００１５】
発明8は、誘電率異方性Δεが、-1.5より小さいことを特徴とする発明1から7の何れかの発明の液晶組成物に関する。
液晶組成物の誘電率異方性Δεは、-2.0より小さいことが好ましく、-2.5以上であることが更に好ましい。
発明9は、発明1から8の何れかに記載の液晶組成物を用いた液晶表示素子に関する。
発明10は、発明1から8の何れかに記載の液晶組成物を用いたVAモード又はIPSモードの液晶表示素子に関する。
【００１６】
【実施例】
以下、実施例を挙げて本発明を更に詳述するが、本発明はこれらの実施例に限定されるものではない。また、以下の実施例及び比較例の組成物における「%」は『質量%』を意味する。
実施例中、測定した特性は以下の通りである。
TN-I   ：ネマチック相−等方性液体相転移温度(℃)
T→N   ：固体相又はスメクチック相−ネマチック相転移温度(℃)
Vth   ：セル厚5μmのホメオトロピック配向したセルでのしきい値電圧(V)
Δε  ：誘電異方性
Δn   ：複屈折率
VHR   ：電圧保持率。セル厚6μmの90°捻れのTNセル中に液晶を注入し5Vフレーム時間20msecを印加した際の、フレーム時間20msec後の保持された電圧Vtと初期電圧V0(5V)との比を%で表したもの。
VHR(%)=Vt/V0×100
【００１７】
(実施例1)
【化１３】
0004945836.tif 000009
を調製した。TN-I: 81℃、Δn: 0.110、Δε: -6.2、Vth: 1.39、VHR: 99.7%であった。また、比較例として、(I-2c)2化合物、(I-1f)1化合物を構造が類似する(I-1)〜(I-3)に含まれない化合物に置換した比較例1を調製した。
【００１８】
（比較例1）
【化１４】
0004945836.tif 000010
比較例1の諸特性を測定した結果、TN-I: 44℃、Δn: 0.094、Δε: -3.9、VHR: 99.3%であった。実施例1の方が、高いTN-I、絶対値の大きい負のΔεを有することがわかる。
【００１９】
（実施例２）
【化１５】
0004945836.tif 000011
を調製した。TN-I: 88℃、Δn: 0.16、Δε: -3.8、VHR: 99.4%であった。高いネマチック上限温度を有し、Δnが大きく、絶対値の大きい負のΔεを有する。
【００２０】
【発明の効果】
本発明の液晶組成物は、絶対値の大きい負の誘電異方性を有し、適切な屈折率異方性、高い相溶性、化学的・物理的安定性に優れた液晶組成物が得られた。また、該組成物を用いた優れた液晶表示素子が得られた。